(57)【要約】【課題】この発明は、デジタルスキャナ装置とデジタルプリンタ装置を市場にて接続して複写機能を実現する場合、スキャナ特性値あるいは調整値を複写機能にとって適切な値に変更する必要があってその特性値、調整値の管理が問題となるという課題を解決しようとするものである。【解決手段】この発明は、デジタルスキャナ装置１と接続可能なデジタルプリンタ装置２を有し、このデジタルプリンタ装置２はその特性値を記憶している不揮発記憶媒体２５を具備し、デジタルスキャナ装置１はそのスキャナ特性値を記憶している不揮発記憶媒体１８を具備するものである。【選択図】　図１
2004040392.tif 000002
【特許請求の範囲】
【請求項１】
原稿を走査して原稿画像を電気的な信号に変換し画像信号を生成するデジタルスキャナ装置と接続可能なデジタルプリンタ装置を有し、このデジタルプリンタ装置は該デジタルプリンタ装置の特性値を記憶している不揮発記憶媒体を具備し、前記デジタルスキャナ装置は該デジタルスキャナ装置の特性値を記憶している不揮発記憶媒体を具備していることを特徴とする画像形成装置。
【請求項２】
請求項１記載の画像形成装置において、前記デジタルプリンタ装置は、前記デジタルスキャナ装置が接続されているときに前記デジタルスキャナ装置の特性値を前記デジタルプリンタ装置の前記不揮発記憶媒体に読み込む機能と、前記デジタルスキャナ装置が接続されているときに前記デジタルスキャナ装置の特性値を変更する手段と、前記デジタルスキャナ装置が接続されているときに前記手段で変更した前記デジタルスキャナ装置の特性値をデジタルスキャナ装置の前記不揮発記憶媒体に記憶させる機能とを有することを特徴とする画像形成装置。
【請求項３】
請求項１記載の画像形成装置において、前記デジタルプリンタ装置は、前記デジタルスキャナ装置が接続されているときに前記デジタルスキャナ装置の特性値を前記デジタルプリンタ装置の前記不揮発記憶媒体に読み込む機能と、前記デジタルスキャナ装置が接続されているときに前記デジタルスキャナ装置の特性値を変更する手段と、前記デジタルスキャナ装置が接続されているときに前記手段で変更した前記デジタルスキャナ装置の特性値を前記デジタルプリンタ装置の前記不揮発記憶媒体と前記デジタルスキャナ装置の前記不揮発記憶媒体に記憶させる機能とを有することを特徴とする画像形成装置。
【請求項４】
請求項１記載の画像形成装置において、前記デジタルプリンタ装置は、前記デジタルスキャナ装置が接続されているときに前記デジタルスキャナ装置の特性値を変更する制御手段と、前記デジタルスキャナ装置の特性値を変更した場合に該特性値に対する補正値を前記デジタルプリンタ装置の前記不揮発記憶媒体に記憶させる機能とを有することを特徴とする画像形成装置。
【請求項５】
請求項１記載の画像形成装置において、前記デジタルプリンタ装置は、前記デジタルスキャナ装置が接続されているときに前記デジタルスキャナ装置の特性値を前記デジタルプリンタ装置の前記不揮発記憶媒体に読み込む機能と、前記デジタルスキャナ装置が接続されているときに前記デジタルスキャナ装置の特性値を変更する制御手段と、前記デジタルスキャナ装置の特性値を変更した場合に該特性値に対する補正値を前記デジタルプリンタ装置の前記不揮発記憶媒体に記憶する機能とを有することを特徴とする画像形成装置。
【請求項６】
請求項１記載の画像形成装置において、前記デジタルプリンタ装置は、前記デジタルスキャナ装置が接続されているときに前記デジタルスキャナ装置の特性値を前記デジタルプリンタ装置の前記不揮発記憶媒体に読み込む機能と、前記デジタルスキャナ装置が接続されているときに前記デジタルスキャナ装置の特性値を変更する制御手段と、前記デジタルスキャナ装置の特性値を変更した場合に該特性値に対する補正値を前記デジタルプリンタ装置の前記不揮発記憶媒体と前記デジタルスキャナ装置の前記不揮発記憶媒体とに記憶する機能とを有することを特徴とする画像形成装置。
【発明の詳細な説明】
【０００１】
【発明の属する技術分野】
本発明はプリンタ、複写機、ＦＡＸ等の画像形成装置に関する。
【０００２】
【従来の技術】
デジタル複写機の構成は、機能的にはデジタルスキャナ装置とデジタルプリンタ装置に大別できる。デジタル複写機は、機器固有の特性値あるいは調整値が存在し、各々の特性値あるいは調整値が通常シーケンシャルな制御を実現するデジタルプリンタ装置側に配置されている不揮発メモリに格納されている。
【０００３】
【発明が解決しようとする課題】
別々に製造されたデジタルスキャナ装置とデジタルプリンタ装置を市場において接続してデジタル複写機能を実現する場合、デジタルスキャナ装置とデジタルプリンタ装置の各々の特性値あるいは調整値は、デジタルスキャナ装置とデジタルプリンタ装置の各々の不揮発メモリに格納せざるを得ない。一般的に、デジタルスキャナ装置とデジタルプリンタ装置は、各々を制御するマイクロコンピュータが搭載されており、各々のマイクロコンピュータが通信を行うことによりデジタル複写機能を実現することになる。しかし、別々に製造されたデジタルスキャナ装置とデジタルプリンタ装置を市場において接続しても、デジタルスキャナ装置の特性値あるいは調整値をデジタル複写機能にとって適切な値に変更する必要があってその特性値、調整値の管理が問題となり、デジタル複写機能の実現が困難である。
【０００４】
本発明の目的は、市場でデジタルプリンタ装置にデジタルスキャナ装置を接続した場合でもデジタル複写機能を実現することができる画像形成装置を提供することにある。
本発明の他の目的は、デジタルスキャナ装置の特性値を保存する不揮発記憶媒体を一元管理することができるとともにスキャナ特性を保証することができる画像形成装置を提供することにある。
【０００５】
本発明の他の目的は、デジタルスキャナ装置の特性値とその調整値を保存する不揮発記憶媒体を一元管理することができるとともにスキャナ特性を保証することができ、別なデジタルスキャナ装置が接続された場合もスキャナ特性の互換性を保つことができる画像形成装置を提供することにある。
本発明の他の目的は、デジタルスキャナ装置のスキャナ特性を保証することができるとともに、このデジタルスキャナ装置を別なデジタルプリンタ装置に接続する場合にもデジタルスキャナ装置を新規に接続する場合と互換性を保つことができる画像形成装置を提供することにある。
本発明の他の目的は、デジタルスキャナ装置のスキャナ特性を保証することができるとともに、新規にデジタルスキャナ装置を接続したときも新たにスキャナ特性の調整を行う必要が無い画像形成装置を提供することにある。
【０００６】
【課題を解決するための手段】
上記目的を達成するため、請求項１に係る発明は、原稿を走査して原稿画像を電気的な信号に変換し画像信号を生成するデジタルスキャナ装置と接続可能なデジタルプリンタ装置を有し、このデジタルプリンタ装置は該デジタルプリンタ装置の特性値を記憶している不揮発記憶媒体を具備し、前記デジタルスキャナ装置は該デジタルスキャナ装置の特性値を記憶している不揮発記憶媒体を具備しているものである。
【０００７】
請求項２に係る発明は、請求項１記載の画像形成装置において、前記デジタルプリンタ装置は、前記デジタルスキャナ装置が接続されているときに前記デジタルスキャナ装置の特性値を前記デジタルプリンタ装置の前記不揮発記憶媒体に読み込む機能と、前記デジタルスキャナ装置が接続されているときに前記デジタルスキャナ装置の特性値を変更する手段と、前記デジタルスキャナ装置が接続されているときに前記手段で変更した前記デジタルスキャナ装置の特性値をデジタルスキャナ装置の前記不揮発記憶媒体に記憶させる機能とを有するものである。
【０００８】
請求項３に係る発明は、請求項１記載の画像形成装置において、前記デジタルプリンタ装置は、前記デジタルスキャナ装置が接続されているときに前記デジタルスキャナ装置の特性値を前記デジタルプリンタ装置の前記不揮発記憶媒体に読み込む機能と、前記デジタルスキャナ装置が接続されているときに前記デジタルスキャナ装置の特性値を変更する手段と、前記デジタルスキャナ装置が接続されているときに前記手段で変更した前記デジタルスキャナ装置の特性値を前記デジタルプリンタ装置の前記不揮発記憶媒体と前記デジタルスキャナ装置の前記不揮発記憶媒体に記憶させる機能とを有するものである。
【０００９】
請求項４に係る発明は、請求項１記載の画像形成装置において、前記デジタルプリンタ装置は、前記デジタルスキャナ装置が接続されているときに前記デジタルスキャナ装置の特性値を変更する制御手段と、前記デジタルスキャナ装置の特性値を変更した場合に該特性値に対する補正値を前記デジタルプリンタ装置の前記不揮発記憶媒体に記憶させる機能とを有するものである。
【００１０】
請求項５に係る発明は、請求項１記載の画像形成装置において、前記デジタルプリンタ装置は、前記デジタルスキャナ装置が接続されているときに前記デジタルスキャナ装置の特性値を前記デジタルプリンタ装置の前記不揮発記憶媒体に読み込む機能と、前記デジタルスキャナ装置が接続されているときに前記デジタルスキャナ装置の特性値を変更する制御手段と、前記デジタルスキャナ装置の特性値を変更した場合に該特性値に対する補正値を前記デジタルプリンタ装置の前記不揮発記憶媒体に記憶する機能とを有するものである。
【００１１】
請求項６に係る発明は、請求項１記載の画像形成装置において、前記デジタルプリンタ装置は、前記デジタルスキャナ装置が接続されているときに前記デジタルスキャナ装置の特性値を前記デジタルプリンタ装置の前記不揮発記憶媒体に読み込む機能と、前記デジタルスキャナ装置が接続されているときに前記デジタルスキャナ装置の特性値を変更する制御手段と、前記デジタルスキャナ装置の特性値を変更した場合に該特性値に対する補正値を前記デジタルプリンタ装置の前記不揮発記憶媒体と前記デジタルスキャナ装置の前記不揮発記憶媒体とに記憶する機能とを有するものである。
【００１２】
【発明の実施の形態】
本発明の実施形態において、不揮発記憶媒体は、例えば電池内臓型のＮＶＲＡＭ、電気消去型のＥＥＰＲＯＭ、ＯＴＰＲＯＭ、ＰＲＯＭ等の情報を保持できる記憶媒体である。
図１は、本発明の実施形態１のハードウェア構成を示す。この実施形態１の画像形成装置は、デジタルスキャナ装置１をデジタルプリンタ装置２に接続することによりデジタル複写機としての機能を実現するものである。デジタルスキャナ装置１は不揮発記憶媒体としてＥＥＰＲＯＭ１８を有し、デジタルプリンタ装置２は不揮発記憶媒体としてＮＶＲＡＭ２５を有する。
【００１３】
デジタルスキャナ装置１においては、原稿台上の原稿をランプ１６により照明し、該ランプ１６及び光学系を保持しているキャリッジの移動により原稿台上の原稿を副走査方向に走査しながら原稿台上の原稿からの反射光（もしくは透過光）を上記光学系などを経由してイメージセンサとしてのＣＣＤ１２により光電変換して画像信号を得ることで原稿画像を読み取る。この画像信号は、信号処理部１３にて信号増幅、信号合成、信号デジタル化（Ａ／Ｄ変換）が行われた後にデジタルプリンタ装置２の画像処理部２６に出力される。
【００１４】
デジタルスキャナ装置１の各部の制御は制御手段としてのコントローラＩＣ１１を介してなされ、コントローラＩＣ１１は、ランプ１６を駆動するインバータ１５をオン／オフさせるオン／オフ機能、上記キャリッジを駆動するためのモータ１７を駆動するドライブ機能、上記キャリッジをホームポジションで検出するセンサ１４からの検出信号を入力する入力機能、およびＥＥＰＲＯＭ１８をアクセスするアクセス機能を有している。
【００１５】
デジタルプリンタ装置２においては、制御手段としてのメイン制御部２１にはデジタルプリンタ装置２のエンジン部（Ｅｎｇｉｎｅ）、およびデジタルスキャナ装置１のコントローラＩＣ１１を制御する制御手段であるＣＰＵ２２が搭載されている。ＣＰＵ２２は、ＲＯＭ２３に格納されたプログラムに従い処理を実行し、デジタルプリンタ装置２にデジタルスキャナ装置１が接続されていない場合にはデジタルプリンタ装置としての機能を実現するような処理を実行し、また、デジタルプリンタ装置２にデジタルスキャナ装置１が接続されている場合にはデジタル複写機としての機能を実現するようにデジタルプリンタ装置２およびデジタルスキャナ装置１の各部を制御する。
【００１６】
ＲＡＭ２４は、ＣＰＵ２２の処理において一時的なデータの保管に用いられ、ＮＶＲＡＭ２５にはデジタルプリンタ装置２における機器（装置）固有の特性値が記憶されている。また、デジタルスキャナ装置１における機器（装置）固有の特性値は、コントローラＩＣ１１に接続されるＥＥＰＲＯＭ１８に記憶されており、ＮＶＲＡＭ２５及びＥＥＰＲＯＭ１８はデジタルスキャナ装置１およびデジタルプリンタ装置２のそれぞれの製造工程で各特性値が入力される。画像処理部２６は信号処理部１３からの画像信号に所定の処理を施し、デジタルプリンタ装置２のエンジン部は画像処理部２６からの画像信号により転写紙などの転写材上に画像を記録する。
【００１７】
次に、ＥＥＰＲＯＭ１８およびＮＶＲＡＭ２５のメモリマップについて図２を用いて説明する。
ＥＥＰＲＯＭ１８は、００００番地から数バイトの領域にヘッダー領域３１が設けられており、これに続いてデジタルスキャナ装置１の特性値が格納されるデータ領域３２が配置されている。同様に、ＮＶＲＡＭ２５は、００００番地から数バイトの領域にヘッダー領域４１が設けられており、これに続いてデータ領域４３が配置されている。
【００１８】
ＥＥＰＲＯＭ１８には、デジタルスキャナ装置１の製造工程においてデジタルスキャナ装置１の機器（装置）固有の特性値をデータ領域３２に格納しておくと共に、ヘッダー領域３１に特定の初期値を記憶しておく。同様に、ＮＶＲＡＭ２５には、デジタルプリンタ装置２の製造工程においてデジタルプリンタ装置２の機器（装置）固有の特性値をプリンタデータ領域４３に格納すると同時に、ヘッダー領域４１に特定の初期値を記憶しておく。
【００１９】
市場にてデジタルプリンタ装置２にオプションのデジタルスキャナ装置１を接続してデジタルスキャナ装置１の特性値（スキャナ特性値）を調整する際には、図３のフローチャートに示す処理を実行する。
すなわち、ユーザあるいはサービスマンがデジタルプリンタ装置２に設けられている操作部としての操作パネルにて調整モードを選択すると、ＣＰＵ２２は操作パネルからの調整モード選択信号に基づいて操作パネルに調整画面を表示させる（ステップ（以下Ｓｔｅｐという）３１）。ユーザあるいはサービスマンが操作パネルにて調整したいスキャナ特性項目を選択して決定すると（Ｓｔｅｐ３２）、ＣＰＵ２２は操作パネルからのスキャナ特性項目選択信号に基づいてコントローラＩＣ１１を介して、スキャナ特性値が保存されているＥＥＰＲＯＭ１８のデータ領域３２からユーザあるいはサービスマンが選択したスキャナ特性項目に対応する特性値データを読み込んで操作パネルに表示させる（Ｓｔｅｐ３３）。
【００２０】
ユーザあるいはサービスマンが操作パネルにてデジタルスキャナ装置１の特性値データを入力して決定すると（Ｓｔｅｐ３４）、ＣＰＵ２２は、操作パネルからの特性値データをＲＡＭ２４に一旦格納し（Ｓｔｅｐ３５）、決定キーの入力を待つ（Ｓｔｅｐ３６）。ＣＰＵ２２は、操作パネルからの決定キー入力を認識すると、ＲＡＭ２４から特性値データを読み出してこれをコントローラＩＣ１１を介して、データ領域３２の該当するアドレス（上記スキャナ特性項目の特性値データを格納すべきアドレス）に書き込む（Ｓｔｅｐ３７）。これらの動作（Ｓｔｅｐ３１〜３７）が調整したい各スキャナ特性項目について行われた後にユーザあるいはサービスマンにより決定キーが押されると（Ｓｔｅｐ３８）、ＣＰＵ２２はスキャナ特性値の調整処理を終了する。
【００２１】
これら一連の動作で、市場にてデジタルスキャナ装置１をデジタルプリンタ装置２に接続してデジタル複写機としての機能を実現する場合に、スキャナ特性値を調整したときにその調整値をデジタルスキャナ装置１の不揮発記憶媒体としてのＥＥＰＲＯＭ１８に保存するため、電源をオフしてもスキャナ特性を保証できる。
【００２２】
このように、実施形態１によれば、デジタルプリンタ装置２とデジタルスキャナ装置１に各々不揮発記憶媒体としてのＥＥＰＲＯＭ１８及びＮＶＲＡＭ２５を搭載することにより、市場でデジタルプリンタ装置２にデジタルスキャナ装置１が接続された場合もデジタル複写機能を実現できる。
【００２３】
次に、本発明の実施形態２について説明する。この実施形態２では、上記実施形態１とは以下に述べる点が異なる。
まず、本実施形態２においてＮＶＲＡＭ２５にスキャナ特性値を保存する方法について図４を用いて説明する。
ＥＥＰＲＯＭ１８は、００００番地から数バイトの領域にヘッダー領域３１が設けられており、これに続いてデジタルスキャナ装置１の特性値（スキャナ特性値）が格納されるデータ領域３２が配置されている。同様に、ＮＶＲＡＭ２５は、００００番地から数バイトの領域にヘッダー領域４１が設けられており、これに続いてスキャナ特性値が保存されるデータ領域４２とプリンタデータ領域４３とが順に配置されている。
【００２４】
さて、ＥＥＰＲＯＭ１８には、デジタルスキャナ装置１の製造工程においてデジタルスキャナ装置１の機器（装置）固有の特性値をデータ領域３２に格納しておくと共に、ヘッダー領域３１に特定の初期値を記憶しておく。同様に、ＮＶＲＡＭ２５には、デジタルプリンタ装置２の製造工程においてデジタルプリンタ装置２の機器（装置）固有の特性値をプリンタデータ領域４３に格納しておくと共に、ヘッダー領域４１に特定の初期値を記憶しておく。スキャナ特性値が保存されているデータ領域４２は、初期値が保存されている。
【００２５】
本実施形態２の次回からのデジタル複写機能起動時（電源投入時）の処理について、図５を用いて説明する。ＣＰＵ２２は、デジタルプリンタ装置２にデジタルスキャナ装置１が接続されたことを認識したら、ＮＶＲＡＭ２５のヘッダー領域４１のデータを読み出す（Ｓｔｅｐ５１）。ＣＰＵ２２は、ヘッダー領域４１から読み出したデータが初期値であるかどうかを判断し（Ｓｔｅｐ５２）、ヘッダー領域４１から読み出したデータが初期値でなければコントローラＩＣ１１を介してＥＥＰＲＯＭ１８のヘッダー領域３１のデータを読み出す（Ｓｔｅｐ５７）。ＣＰＵ２２は、ヘッダー領域３１から読み出したデータが初期値であるかどうかを判断し（Ｓｔｅｐ５８）、ヘッダー領域３１から読み出したデータが初期値でなければ処理を終了する。
【００２６】
次に、本実施形態２のＥＥＰＲＯＭ１８を含むスキャナ制御部（図示せず）が交換された場合について説明する。この場合は、ＮＶＲＡＭ２５のヘッダー領域４１には既に特定値が書き込まれているが、ＥＥＰＲＯＭ１８のヘッダー領域３１のデータは初期値となっている。
【００２７】
ＣＰＵ２２は、デジタルプリンタ装置２にデジタルスキャナ装置１が接続されたことを認識したら、ＮＶＲＡＭ２５のヘッダー領域４１のデータを読み出す（Ｓｔｅｐ５１）。ＣＰＵ２２は、ヘッダー領域４１から読み出したデータが初期値であるかどうかを判断し（Ｓｔｅｐ５２）、ヘッダー領域４１から読み出したデータが初期値ではないから、コントローラＩＣ１１を介してＥＥＰＲＯＭ１８のヘッダー領域３１のデータを読み出す（Ｓｔｅｐ５７）。
【００２８】
ＣＰＵ２２は、ヘッダー領域３１から読み出したデータが初期値であるかどうかを判断し（Ｓｔｅｐ５８）、ヘッダー領域３１から読み出したデータが初期値であるから、コントローラＩＣ１１を介してＥＥＰＲＯＭ１８のスキャナ領域３２からデジタルスキャナ装置１の特性値データを読み出し、これをＲＡＭ２４に書き込む（Ｓｔｅｐ５３）。次に、ＣＰＵ２２は、ＲＡＭ２４に書き込んだデジタルスキャナ装置１の特性値データをＮＶＲＡＭ２５のデータ領域４２に書き込み（Ｓｔｅｐ５４）、コントローラＩＣ１１を介してＥＥＰＲＯＭ１８のヘッダー領域３１に特定値を書き込む（Ｓｔｅｐ５５）とともに、ヘッダー領域４１に特定値を書き込んで（Ｓｔｅｐ５６）処理を終了する。
また、ＣＰＵ２２は、ヘッダー領域４１から読み出したデータが初期値である場合にはＳｔｅｐ５２からＳｔｅｐ５３に進み、上述と同様にＳｔｅｐ５３〜５６が実行される。
この一連の処理により、デジタルスキャナ装置１の機器固有の特性値データを、デジタルプリンタ装置２側で記憶しておくことが可能となる。
本実施形態２では、市場でデジタルプリンタ装置２にオプションのデジタルスキャナ装置１を接続してスキャナ特性値を調整した際には、図６のフローチャートに示す処理を実行する。
ユーザあるいはサービスマンがデジタルプリンタ装置２に設けられている操作パネルにて調整モードを選択すると、ＣＰＵ２２は操作パネルからの調整モード選択信号により操作パネルに調整画面を表示させる（Ｓｔｅｐ６１）。ユーザあるいはサービスマンが調整したいスキャナ特性項目を選択して決定すると（Ｓｔｅｐ６２）、ＣＰＵ２２は、操作パネルからのスキャナ特性項目選択信号に基づいて、スキャナ特性値が保存されているＮＶＲＡＭ２５のデータ領域４２からユーザあるいはサービスマンが選択したスキャナ特性項目に対応する特性値データを読み込み、この特性値データを操作パネルに調整値として表示させる（Ｓｔｅｐ６３）。
【００２９】
ユーザあるいはサービスマンが操作パネルにてデジタルスキャナ装置１の調整値（特性値を調整した値）データを入力して決定すると（Ｓｔｅｐ６４）、ＣＰＵ２２は、操作パネルからの調整値データをＲＡＭ２４に一旦格納し（Ｓｔｅｐ６５）、決定キーの入力を待つ（Ｓｔｅｐ６６）。ＣＰＵ２２は、操作パネルからの決定キー入力を認識すると、ＲＡＭ２４から調整値データを読み出してこれを、該当するデータ領域４２のアドレス（上記選択されたスキャナ特性項目の調整値データが格納されるアドレス）に書き込む（Ｓｔｅｐ６７）。これらの動作（Ｓｔｅｐ６１〜６７）が調整したい各スキャナ特性項目の特性値データについて行われてユーザあるいはサービスマンにより決定キーが押されると（Ｓｔｅｐ６８）、ＣＰＵ２２はスキャナ特性値の調整処理を終了する。
【００３０】
これら一連の動作で、市場にてデジタルスキャナ装置１をデジタルプリンタ装置２に接続してデジタル複写機としての機能を実現する場合に、デジタルプリンタ装置２側でメモリを一元管理できる。
このように、実施形態２によれば、デジタルプリンタ装置２にデジタルスキャナ装置１を新規に接続したときにデジタルスキャナ装置１の特性値が保存されている不揮発記憶手段としてのＥＥＰＲＯＭ１８上のデータをデジタルプリンタ装置２の不揮発記憶手段としてのＮＶＲＡＭ２５に保存し、メモリを一元管理するとともにスキャナ特性値を調整したときにその調整値をデジタルプリンタ装置２のＮＶＲＡＭ２５に保存することにより、スキャナ特性を保証することができる。
【００３１】
次に、本発明の実施形態３について説明する。この実施形態３では、上記実施形態２において、市場のデジタルプリンタ装置２にオプションのデジタルスキャナ装置１を接続してスキャナ特性値を調整した際には、図７のフローチャートに示す処理を実行する。
【００３２】
すなわち、ユーザあるいはサービスマンが操作パネルにて調整モードを選択すると、ＣＰＵ２２は操作パネルからの調整モード選択信号により操作パネルに調整画面を表示させる（Ｓｔｅｐ７１）。ユーザあるいはサービスマンが調整したいスキャナ特性項目を選択して決定すると（Ｓｔｅｐ７２）、ＣＰＵ２２は、操作パネルからのスキャナ特性項目選択信号に基づいて、スキャナ特性値が保存されているＮＶＲＡＭ２５のデータ領域４２からユーザあるいはサービスマンが選択したスキャナ特性項目に対応するデータを読み込み、これを操作パネルに調整値として表示させる（Ｓｔｅｐ７３）。
【００３３】
ユーザあるいはサービスマンが操作パネルにてデジタルスキャナ装置１の調整値（特性値を調整した値）データを入力して決定すると（Ｓｔｅｐ７４）、ＣＰＵ２２は、操作パネルからの調整値データをＲＡＭ２４に一旦格納し（Ｓｔｅｐ７５）、決定キーの入力を待つ（Ｓｔｅｐ７６）。ＣＰＵ２２は、操作パネルからの決定キー入力を認識すると、ＲＡＭ２４から調整値データを読み出してこれを、該当するデータ領域４２のアドレス（上記選択されたスキャナ特性項目の調整値データが格納されるアドレス）に書き込むと同時にＥＥＰＲＯＭ１８のデータ領域３２の該当するアドレス（上記選択されたスキャナ特性項目の調整値データが格納されるアドレス）に対しても同じ調整値データを書き込む（Ｓｔｅｐ７７）。これらの動作（Ｓｔｅｐ７１〜７７）が調整したい各スキャナ特性項目について行われてユーザあるいはサービスマンにより決定キーが押されると（Ｓｔｅｐ７８）、ＣＰＵ２２はスキャナ特性値の調整処理を終了する。
【００３４】
これら一連の動作で、市場にてデジタルスキャナ装置１をデジタルプリンタ装置２に接続してデジタル複写機としての機能を実現する場合に、デジタルプリンタ装置２側でメモリを一元管理できるとともに、デジタルスキャナ装置１にも調整したスキャナ特性値データを保存することができる。そのため、デジタルスキャナ装置１を異なるデジタルプリンタ装置２に接続した場合もデジタルスキャナ装置１の調整を新たにする必要は無くなる。
【００３５】
このように、実施形態３によれば、デジタルプリンタ装置２にデジタルスキャナ装置１が接続されたデジタル複写機の形態において、スキャナ特性値を変更した際に、その調整値をデジタルプリンタ装置２の不揮発記憶手段としてのＮＶＲＡＭ２５と、デジタルスキャナ装置１の不揮発記憶手段としてのＥＥＰＲＯＭ１８に保存することにより、メモリを一元管理しスキャナ特性を保証するともに、別なデジタルスキャナ装置が接続された場合もスキャナ特性の互換性を保つことができる。
【００３６】
次に、本発明の実施形態４について説明する。この実施形態４は、上記実施形態１とは以下に説明する点が異なる。
本実施形態４において、ＥＥＰＲＯＭ１８にスキャナ特性値を保存し、ＮＶＲＡＭ２５にスキャナ特性値の補正値を保存する方法について図８を用いて説明する。
ＥＥＰＲＯＭ１８は、００００番地から数バイトの領域にヘッダー領域３１が設けられており、これに続いてデジタルスキャナ装置１の特性値が格納されるデータ領域３２が配置されている。同様に、ＮＶＲＡＭ２５は、００００番地から数バイトの領域にヘッダー領域４１が設けられており、これに続いてスキャナ特性値に対する補正値が保存されるデータ領域４４と、プリンタデータ領域４３とが順に配置されている。
【００３７】
さて、ＥＥＰＲＯＭ１８には、デジタルスキャナ装置１の製造工程においてデジタルスキャナ装置１の機器固有の特性値をデータ領域３２に格納しておくと共に、ヘッダー領域３１に特定の初期値を記憶しておく。同様に、ＮＶＲＡＭ２５には、デジタルプリンタ装置２の製造工程においてデジタルプリンタ装置２の機器固有の特性値をプリンタデータ領域４３に格納しておくと共に、ヘッダー領域４１に特定の初期値を記憶しておく。スキャナ特性値に対する補正値が保存されるデータ領域４４は、当初は初期値０となっている。
【００３８】
本実施形態４では、市場のデジタルプリンタ装置２にオプションのデジタルスキャナ装置１を接続してスキャナ特性値を調整した際には、図９のフローチャートに示す処理を実行する。
すなわち、ユーザあるいはサービスマンが操作パネルにて調整モードを選択すると、ＣＰＵ２２は操作パネルからの調整モード選択信号により操作パネルに調整画面を表示させる（Ｓｔｅｐ９１）。ユーザあるいはサービスマンが調整したいスキャナ特性項目を選択して決定すると（Ｓｔｅｐ９２）、ＣＰＵ２２は、操作パネルからのスキャナ特性項目選択信号に基づいて、スキャナ特性値が保存されているＥＥＰＲＯＭ１８のデータ領域３２からコントローラＩＣ１１を介してユーザあるいはサービスマンが選択したスキャナ特性項目に対応する特性値データを読み込むとともにＮＶＲＡＭ２５のデータ領域４４からユーザあるいはサービスマンが選択したスキャナ特性項目に対応する補正値データを読み込み、これらの特性値データ及び補正値データを演算してその演算結果を調整値として操作パネルに表示させる（Ｓｔｅｐ９３）。ここでの演算では、例えばレジスト量の調整等は、ＥＥＰＲＯＭ１８に保存されているスキャナ特性値とＮＶＲＡＭ２５に保存されているスキャナ特性の補正値の加算となる。
【００３９】
ユーザあるいはサービスマンが操作パネルにてデジタルスキャナ装置１の特性値データを入力して決定すると（Ｓｔｅｐ９４）、ＣＰＵ２２は操作パネルからの特性値データと、ＥＥＰＲＯＭ１８に保存されている上記選択したスキャナ特性項目の特性値データとの差分を求めて補正値データとしてＲＡＭ２４に一旦格納し（Ｓｔｅｐ９５）、決定キーの入力を待つ（Ｓｔｅｐ９６）。ＣＰＵ２２は、操作パネルからの決定キー入力を認識すると、ＲＡＭ２４から補正値データを読み出してこれを、該当するデータ領域４４のアドレス（上記選択されたスキャナ特性項目の補正値データが格納されるアドレス）に書き込む（Ｓｔｅｐ９７）。これらの動作（Ｓｔｅｐ９１〜９７）が調整したい各スキャナ特性項目について行われてユーザあるいはサービスマンにより決定キーが押されると（Ｓｔｅｐ９８）、ＣＰＵ２２はスキャナ特性値の調整処理を終了する。
【００４０】
これら一連の動作で、市場にてデジタルスキャナ装置１をデジタルプリンタ装置２に接続してデジタル複写機としての機能を実現する場合に、スキャナ特性値を調整したときに工場で調整されているＥＥＰＲＯＭ１８内の特性値は変化せず、その補正値のみをデジタルプリンタ装置２のＮＶＲＡＭ２５に保存するので、デジタルスキャナ装置１を交換したときも互換性を保ち、新たにスキャナ特性値を調整する必要は無く、前のデジタルスキャナ装置１とデジタルプリンタ装置２との組み合わせで調整したスキャナ特性値を反映することができる。
【００４１】
このように、実施形態４によれば、デジタルプリンタ装置２にデジタルスキャナ装置１が接続されたデジタル複写機の形態において、スキャナ特性値の補正値だけデジタルプリンタ装置２の不揮発記憶媒体としてのＮＶＲＡＭ２５に保存することにより、スキャナ特性を保証することができるとともに、デジタルスキャナ装置１を別なデジタルプリンタ装置に接続する場合にもデジタルスキャナ装置１の不揮発記憶手段としてのＥＥＰＲＯＭ１８には、工場で調整されたスキャナ特性値が保存されているので、デジタルプリンタ装置２に新規にデジタルスキャナ装置１を接続する場合と互換性を保つことができる。
【００４２】
次に、本発明の実施形態５について説明する。この実施形態５は、上記実施形態１とは以下に説明する点が異なる。
本実施形態５において、ＥＥＰＲＯＭ１８にスキャナ特性値を保存してＮＶＲＡＭ２５にスキャナ特性値とその補正値を保存する方法について図１０を用いて説明する。
【００４３】
ＥＥＰＲＯＭ１８は、００００番地から数バイトの領域にヘッダー領域３１が設けられており、これに続いてデジタルスキャナ装置１の特性値が格納されるデータ領域３２が配置されている。同様に、ＮＶＲＡＭ２５は、００００番地から数バイトの領域にヘッダー領域４１が設けられており、これに続いてスキャナ特性値が保存されているデータ領域４２と、スキャナ特性値に対する補正値が保存されるデータ領域４４と、プリンタデータ領域４３とが順に配置されている。
【００４４】
さて、ＥＥＰＲＯＭ１８には、デジタルスキャナ装置１の製造工程においてデジタルスキャナ装置１の機器固有の特性値をデータ領域３２に格納しておくと共に、ヘッダー領域３１に特定の初期値を記憶しておく。同様に、ＮＶＲＡＭ２５には、デジタルプリンタ装置２の製造工程においてデジタルプリンタ装置２の機器固有の特性値をプリンタデータ領域４３に格納しておくと共に、ヘッダー領域４１に特定の初期値を記憶しておく。スキャナ特性値に対する補正値が保存されるデータ領域４４は、当初は初期値０となっている。また、スキャナ特性値を保存するデータ領域４２は、工場出荷時に初期値が保存されており、デジタルプリンタ装置２にデジタルスキャナ装置１を接続する時に上記実施形態２と同様にＥＥＰＲＯＭ１８のデータ領域３２内のスキャナ特性値データがコピーされる。
【００４５】
市場でデジタルプリンタ装置２にオプションのデジタルスキャナ装置１を接続してスキャナ特性値を調整する際には、図１１のフローチャートに示す処理を実行する。
ユーザあるいはサービスマンが操作パネルにて調整モードを選択すると、ＣＰＵ２２は操作パネルからの調整モード選択信号により操作パネルに調整画面を表示させる（Ｓｔｅｐ１１１）。ユーザあるいはサービスマンが調整したいスキャナ特性項目を選択して決定すると（Ｓｔｅｐ１１２）、ＣＰＵ２２は、操作パネルからのスキャナ特性項目選択信号に基づいて、スキャナ特性値が保存されているＮＶＲＡＭ２５のデータ領域４２とデータ領域４４からユーザあるいはサービスマンが選択したスキャナ特性項目に対応する特性値データ及び補正値データを読み込み、これらの特性値データ及び補正値データを演算してその演算結果を調整値として操作パネルに表示させる（Ｓｔｅｐ１１３）。ここでの演算では、例えばレジスト量の調整等は、ＥＥＰＲＯＭ１８に保存されているスキャナ特性値とＮＶＲＡＭ２５に保存されているスキャナ特性の補正値の加算となる。
【００４６】
ユーザあるいはサービスマンが操作パネルにてデジタルスキャナ装置１の特性値データを入力して決定すると（Ｓｔｅｐ１１４）、ＣＰＵ２２は、操作パネルからの特性値データと、ＥＥＰＲＯＭ１８に保存されている上記選択したスキャナ特性項目の特性値データとの差分を求めて補正値データとしてＲＡＭ２４に一旦格納し（Ｓｔｅｐ１１５）、決定キーの入力を待つ（Ｓｔｅｐ１１６）。ＣＰＵ２２は、操作パネルからの決定キー入力を認識すると、ＲＡＭ２４から補正値データを読み出してこれを、該当するデータ領域４４のアドレス（上記選択されたスキャナ特性項目の補正値データが格納されるアドレス）に書き込む（Ｓｔｅｐ１１７）。これらの動作（Ｓｔｅｐ１１１〜１１７）が調整したい各スキャナ特性項目について行われてユーザあるいはサービスマンにより決定キーが押されると（Ｓｔｅｐ１１８）、ＣＰＵ２２はスキャナ特性値の調整処理を終了する。
【００４７】
これら一連の動作で、市場にてデジタルスキャナ装置１をデジタルプリンタ装置２に接続してデジタル複写機としての機能を実現する場合に上記実施形態４と同様な効果を奏し、メモリを一元管理することができる。
このように、実施形態５によれば、デジタルプリンタ装置２にデジタルスキャナ装置１が接続されたデジタル複写機の形態において、スキャナ特性値を変更した際にその補正値だけデジタルプリンタ装置２の不揮発記憶媒体としてのＮＶＲＡＭ２５に保存することにより、スキャナ特性を保証することができるとともに、デジタルスキャナ装置１を別なデジタルプリンタ装置に接続する場合にもデジタルスキャナ装置１の不揮発記憶媒体としてのＥＥＰＲＯＭ１８には、工場で調整された特性値が保存されているので、新規にデジタルスキャナ装置をデジタルプリンタ装置に接続する場合と互換性を保つことができる。
【００４８】
次に、本発明の実施形態６について説明する。この実施形態６は、上記実施形態１とは以下に説明する点が異なる。
本実施形態６においてＥＥＰＲＯＭ１８にスキャナ特性値とその補正値を保存してＮＶＲＡＭ２５にスキャナ特性値とその補正値を保存する方法について図１２を用いて説明する。
【００４９】
ＥＥＰＲＯＭ１８は、００００番地から数バイトの領域にヘッダー領域３１が設けられており、これに続いてデジタルスキャナ装置１の特性値が格納されるデータ領域３２と、スキャナ特性値に対する補正値が保存されるデータ領域３３が順に配置されている。同様に、ＮＶＲＡＭ２５は、００００番地から数バイトの領域にヘッダー領域４１が設けられており、これに続いてスキャナ特性値が保存されるデータ領域４２と、スキャナ特性値に対する補正値が保存されるデータ領域４４と、プリンタデータ領域４３とが順に配置されている。
【００５０】
さて、ＥＥＰＲＯＭ１８には、デジタルスキャナ装置１の製造工程においてデジタルスキャナ装置１の機器固有の特性値をデータ領域３２に格納しておくと共に、ヘッダー領域３１に特定の初期値を記憶しておく。同様に、ＮＶＲＡＭ２５には、デジタルプリンタ装置２の製造工程においてデジタルプリンタ装置２の機器固有の特性値をプリンタデータ領域４３に格納しておくと共に、ヘッダー領域４１に特定の初期値を記憶しておく。スキャナ特性値に対する補正値が保存されるデータ領域３３、４４は、初期値０となっている。また、スキャナ特性値を保存するデータ領域４２は、工場出荷時は初期値が保存されており、デジタルプリンタ装置２にデジタルスキャナ装置１を接続した時に上記実施形態２と同様にＥＥＰＲＯＭ１８のデータ領域３２内のスキャナ特性値データがコピーされる。
【００５１】
市場でデジタルプリンタ装置２にオプションのデジタルスキャナ装置１を接続してスキャナ特性値を調整する際には、図１３のフローチャートに示す処理を実行する。
ユーザあるいはサービスマンが操作パネルにて調整モードを選択すると、ＣＰＵ２２は操作パネルからの調整モード選択信号により操作パネルに調整画面を表示させる（Ｓｔｅｐ１３１）。ユーザあるいはサービスマンが調整したいスキャナ特性項目を選択して決定すると（Ｓｔｅｐ１３２）、ＣＰＵ２２は、操作パネルからのスキャナ特性項目選択信号に基づいて、スキャナ特性値が保存されているＮＶＲＡＭ２５のデータ領域４２とＮＶＲＡＭ２５のデータ領域４４からユーザあるいはサービスマンが選択したスキャナ特性項目に対応する特性値データ及び補正値データを読み込み、これらの特性値データ及び補正値データを演算してその演算結果を調整値として操作パネルに表示させる（Ｓｔｅｐ１３３）。ここでの演算では、例えばレジスト量の調整等は、ＥＥＰＲＯＭ１８に保存されているスキャナ特性値とＮＶＲＡＭ２５に保存されているスキャナ特性の補正値の加算となる。
【００５２】
ユーザあるいはサービスマンが操作パネルにてデジタルスキャナ装置１の特性値データを入力して決定すると（Ｓｔｅｐ１３４）、ＣＰＵ２２は、操作パネルからの特性値データと、ＥＥＰＲＯＭ１８に保存されている上記選択したスキャナ特性項目の特性値データとの差分を求めて補正値データとしてＲＡＭ２４に一旦格納し（Ｓｔｅｐ１３５）、決定キーの入力を待つ（Ｓｔｅｐ１３６）。ＣＰＵ２２は、操作パネルからの決定キー入力を認識すると、ＲＡＭ２４から補正値データを読み出してこれを、コントローラＩＣ１１を介してデータ領域３３の該当するアドレス（上記選択されたスキャナ特性項目の補正値データが格納されるアドレス）に書き込むとともにデータ領域４４の該当するアドレス（上記選択されたスキャナ特性項目の補正値データが格納されるアドレス）に書き込む（Ｓｔｅｐ１３７）。これらの動作（Ｓｔｅｐ１３１〜１３７）が調整したい各スキャナ特性項目について行われてユーザあるいはサービスマンにより決定キーが押されると（Ｓｔｅｐ１３８）、ＣＰＵ２２はスキャナ特性値の調整処理を終了する。
【００５３】
これら一連の動作で、市場にてデジタルスキャナ装置１をデジタルプリンタ装置２に接続してデジタル複写機としての機能を実現する場合に、スキャナ特性値に対する補正値をデジタルスキャナ装置１側とデジタルプリンタ装置２側の両方に持つことにより、どちらが交換されてもスキャナ特性を保持することができる。
【００５４】
このように、実施形態６によれば、デジタルプリンタ装置２にデジタルスキャナ装置１を新規に接続したときにデジタルスキャナ装置１の特性値が保存されている不揮発記憶媒体としてのＥＥＰＲＯＭ１８上のデータをデジタルプリンタ装置２の不揮発記憶媒体としてのＮＶＲＡＭ２５に保存し、メモリを一元管理するとともに、スキャナ特性値を変更した際にその補正値をデジタルプリンタ装置２のＮＶＲＡＭ２５とデジタルスキャナ装置１のＥＥＰＲＯＭ１８に保存することにより、スキャナ特性を保証することができるとともに、デジタルスキャナ装置を別なデジタルプリンタ装置に接続する場合にもデジタルスキャナ装置の不揮発記憶媒体には、工場で調整された特性値と補正値が保存されているので、新規にデジタルスキャナ装置をデジタルプリンタ装置に接続したときも新たにスキャナ特性の調整を行う必要は無くなる。
【００５５】
なお、本発明は、上記実施形態に限定されるものではなく、デジタルスキャナ装置とデジタルプリンタ装置を有するファクシミリや、デジタルスキャナ装置が任意に接離されるデジタルプリンタ装置などの画像形成装置に適用することができる。
【００５６】
【発明の効果】
以上のように本発明によれば、市場でデジタルプリンタ装置にデジタルスキャナ装置を接続した場合でもデジタル複写機能を実現することができる。
また、スキャナ特性値をデジタルプリンタ装置の不揮発記憶媒体に保存して一元管理することができるとともにスキャナ特性を保証することができる。
また、スキャナ特性値とその調整値を保存する不揮発記憶媒体を一元管理することができるとともにスキャナ特性を保証することができ、別なデジタルスキャナ装置が接続された場合もスキャナ特性の互換性を保つことができる。
【００５７】
また、デジタルスキャナ装置のスキャナ特性を保証することができるとともに、このデジタルスキャナ装置を別なデジタルプリンタ装置に接続する場合にもデジタルスキャナ装置を新規に接続する場合と互換性を保つことができる。
さらに、デジタルスキャナ装置のスキャナ特性を保証することができるとともに、新規にデジタルスキャナ装置を接続したときも新たにスキャナ特性の調整を行う必要が無い。
【図面の簡単な説明】
【図１】本発明の実施形態１のハードウェア構成を示すブロック図である。
【図２】同実施形態１におけるＥＥＰＲＯＭおよびＮＶＲＡＭのメモリマップを示す図である。
【図３】同実施形態１の処理フローを示すフローチャートである。
【図４】本発明の実施形態２におけるＥＥＰＲＯＭおよびＮＶＲＡＭのメモリマップを示す図である。
【図５】同実施形態２の処理フローを示すフローチャートである。
【図６】同実施形態２の他の処理フローを示すフローチャートである。
【図７】本発明の実施形態３の処理フローを示すフローチャートである。
【図８】本発明の実施形態４におけるＥＥＰＲＯＭおよびＮＶＲＡＭのメモリマップを示す図である。
【図９】同実施形態４の処理フローを示すフローチャートである。
【図１０】本発明の実施形態５におけるＥＥＰＲＯＭおよびＮＶＲＡＭのメモリマップを示す図である。
【図１１】同実施形態５の処理フローを示すフローチャートである。
【図１２】本発明の実施形態６におけるＥＥＰＲＯＭおよびＮＶＲＡＭのメモリマップを示す図である。
【図１３】同実施形態６の処理フローを示すフローチャートである。
【符号の説明】
１　　　デジタルスキャナ装置
２　　　デジタルプリンタ装置
１１　　　コントローラＩＣ
１２　　　ＣＣＤ
１３　　　信号処理部
１４　　　センサ
１５　　　インバータ
１６　　　ランプ
１７　　　モータ
１８　　　ＥＥＰＲＯＭ
２１　　　メイン制御部
２２　　　ＣＰＵ
２３　　　ＲＯＭ
２４　　　ＲＡＭ
２５　　　ＮＶＲＡＭ
２６　　　画像処理部
【図１】
2004040392.tif 000003
【図２】
2004040392.tif 000004
【図３】
2004040392.tif 000005
【図４】
2004040392.tif 000006
【図５】
2004040392.tif 000007
【図６】
2004040392.tif 000008
【図７】
2004040392.tif 000009
【図８】
2004040392.tif 000010
【図９】
2004040392.tif 000011
【図１０】
2004040392.tif 000012
【図１１】
2004040392.tif 000013
【図１２】
2004040392.tif 000014
【図１３】
2004040392.tif 000015